(57)【特許請求の範囲】
【請求項１】
下記を具備する、分散された基地局通信システムにおいて、基地局によりサービスされる移動局にリバースリンクリソースを割り当てるための、他の基地局によりサービスされる少なくとも１つの移動局に対してサービスしていない基地局として機能する基地局において実行される方法：
他の基地局によりサービスされる少なくとも１つの移動局のリバースリンク送信の結合負荷パラメータを測定する、ここにおいて、前記結合負荷パラメータは、サービスしていない基地局において経験される結合負荷の表示を供給し、前記結合負荷は、前記移動局のリバースリンク送信によるサービスしていない基地局における測定されたトラヒック品質推定値を表す；
前記結合負荷パラメータに基づいて前記少なくとも１つの移動局のリバースリンク送信による推定される期待結合負荷を計算する、ここにおいて、前記期待結合負荷は、前記移動局の予期された将来のリバースリンク送信によりサービスしていない基地局において生じるであろう結合リバースリンク負荷である；
前記推定された期待結合負荷に従って前記基地局によりサービスされる他の移動局にリバースリンクリソースを割り当てる；
ここにおいて、前記リバースリンクリソースを割り当てることは、データ送信レートを前記基地局によりサービスされる前記他の移動局にスケジューリングし、前記基地局の合計キャパシティと前記推定された期待結合負荷の差を越えない、前記他の移動局による合計リバースリンク負荷を前記基地局において作成することを具備し、
前記推定することは、以前の送信期間中に測定された前記測定された結合負荷パラメーターに基づいて前記少なくとも１つの移動局のリバースリンク送信により以前の結合負荷を計算することと、前記以前の結合負荷に基づいて前記推定された期待結合負荷を計算することとを具備し、
前記推定される期待結合負荷を計算することは、以前の結合負荷に等しくなるように前記推定された期待結合負荷を計算することを具備し、
前記以前の結合負荷を計算することは、複数の以前の結合負荷を計算することを具備し、
前記推定される期待結合負荷を計算することはさらに、前記複数の以前の結合負荷のフィルターされた平均合計期待結合負荷を計算することを具備する、ここにおいて、前記平均合計期待結合負荷は、前記期待結合負荷の合計の平均値である。
【請求項２】
前記結合負荷パラメーターを測定することは、チップあたりのエネルギー対雑音プラス干渉比（Ｅcp／Ｎt）を具備する、請求項１の方法。
【請求項３】
前記推定された期待結合負荷を計算することは、前記少なくとも１つの移動局により送信されるリバースリンク信号の送信データレートに基づいて前記推定された期待結合負荷を計算することをさらに具備する、請求項２の方法。
【請求項４】
前記推定された期待結合負荷を計算することはさらに、前記少なくとも１つの移動局により送信されるリバースリンク信号の送信電力レベルに基づいて前記推定された期待結合負荷を計算することを具備する、請求項２の方法。
【請求項５】
下記を具備する、分散された基地局通信システムにおいて基地局において実行される方法：
他の基地局によりサービスされる前記移動局のリバースリンク送信の結合負荷パラメータを測定する、ここにおいて、前記結合負荷パラメータは、サービスしていない基地局において経験される結合負荷の表示を供給し、前記結合負荷は、前記移動局のリバースリンク送信によるサービスしていない基地局における測定されたトラヒック品質推定値を表す；
前記結合負荷パラメータに基づいて以前の送信期間のための合計結合負荷を計算する、前記合計結合負荷は、前記移動局のリバースリンク送信により合計負荷寄与を表す；
前記合計結合負荷に基づいて現在の送信のための推定された期待結合負荷を計算するここにおいて、前記期待結合負荷は、前記移動局の予期された将来のリバースリンク送信によりサービスしていない基地局において生じるであろう結合リバースリンク負荷である；
前記基地局の合計キャパシティから前記推定された期待結合負荷を減算することにより前記基地局の合計の利用可能なキャパシティを計算する；
および
前記合計利用可能なキャパシティに従って、前記基地局によりサービスされる他の移動局にリバースリンクリソースを割り当てる；
ここにおいて、前記リバースリンクリソースを割り当てることは、前記基地局によりサービスされる前記他の移動局にデータ送信レートをスケジューリングし、前記基地局の前記合計の利用可能なキャパシティを超えない、前記他の移動局による合計リバースリンク負荷を前記基地局において作成することを具備し、
前記推定された期待結合負荷を計算することは、前記以前の結合負荷に等しくなるように前記推定された期待結合負荷を計算することを具備し、
前記以前の結合負荷を計算することは、複数の以前の結合負荷を計算することを具備し、
前記推定された期待結合負荷を計算することはさらに、前記複数の以前の結合負荷のフィルターされた平均合計期待結合負荷を計算することを具備する、ここにおいて、前記平均合計期待結合負荷は、前記期待結合負荷の合計の平均値である。
【請求項６】
前記結合負荷パラメーターを測定することは、チップあたりのエネルギー対雑音プラス干渉比（Ｅcp／Ｎt）を測定することを具備する、請求項５の方法。
【請求項７】
現在の送信のための前記推定された期待結合負荷を計算することは、前記少なくとも１つの移動局により送信されたリバースリンク信号の送信データレートに基づいて前記現在の送信ための前記推定された期待結合負荷を計算することをさらに具備する請求項６の方法。
【請求項８】
前記現在の送信のための推定された期待結合負荷を計算することは、さらに前記少なくとも１つの移動局により送信されたリバースリンク信号の送信電力レベルに基づいて前記現在の送信のための推定された期待結合負荷を計算することを具備する、請求項７の方法。
【請求項９】
下記をするように構成された、分散された基地局通信システムの基地局のためのプロセッサー：
前記基地局において測定された結合負荷パラメータに基づいて以前の送信期間のための他の基地局によりサービスされた移動局のリバースリンク送信による合計結合負荷を計算する、ここにおいて、前記結合負荷パラメータは、サービスしていない基地局において経験される結合負荷の表示を供給し、前記結合負荷は、前記移動局のリバースリンク送信によるサービスしていない基地局における測定されたトラヒック品質推定値を表す；
前記合計結合負荷に基づいて現在の送信期間のための推定された期待結合負荷を計算するここにおいて、前記期待結合負荷は、前記移動局の予期された将来のリバースリンク送信によりサービスしていない基地局において生じるであろう結合リバースリンク負荷である；および
前記基地局の合計キャパシティから前記推定された期待結合負荷を減算することにより前記基地局の合計利用可能なキャパシティを計算する；
ここにおいて、前記プロセッサーは、
前記合計の利用可能なキャパシティに従って前記基地局によりサービスされる他の移動局にリバースリンクリソースを割り当てるようにさらに構成され、
前記基地局によりサービスされる前記他の移動局にデータ送信レートをスケジューリングし、前記基地局の合計の利用可能なキャパシティを超えない、前記他の移動局による合計リバースリンク負荷を前記基地局において作成することにより、前記リバースリンクリソースを割り当てるようにさらに構成され、
前記以前の結合負荷に等しくなるように前記推定された期待結合負荷を計算することにより、前記推定された期待結合負荷を計算するようにさらに構成され、
複数の以前の結合負荷を計算することにより前記合計結合負荷を計算するようにさらに構成され、
前記複数の以前の結合負荷のフィルターされた平均合計期待結合負荷を計算することにより前記推定された期待結合負荷を計算するようにさらに構成される、ここにおいて、前記平均合計期待結合負荷は、前記期待結合負荷の合計の平均値である。
【請求項１０】
前記結合負荷パラメーターは、チップあたりのエネルギー対雑音プラス干渉比（Ｅcp／Ｎt）を具備する、請求項９のプロセッサー。
【請求項１１】
前記プロセッサーはさらに、前記少なくとも１つの移動局により送信されるリバースリンク信号の送信データレートに基づいて前記現在の送信期間のための前記推定された期待結合負荷を計算するようにさらに構成される、請求項９のプロセッサー。
【請求項１２】
前記プロセッサーは、前記少なくとも１つの移動局により送信されるリバースリンク信号の送信電力レベルに基づいて前記現在の送信期間のための前記推定された期待結合負荷を計算するようにさらに構成される、請求項９のプロセッサー。
【発明の詳細な説明】
【技術分野】
【０００１】
関連出願のクロスリファレンス
本願は、「リバースリンク通信負荷スケジューリングの分散制御のための方法および装置」(Method And Apparatus for Distributed Control Of Reverse Link Communication Load Scheduling)というタイトルの、２００３年６月１６日に出願された米国仮出願シリアル番号６０／４７９，２５２、および「リバースリンク通信負荷スケジューリングの分散制御のための方法および装置」(Method And Apparatus for Distributed Control Of Reverse Link Communication Load Scheduling)というタイトルの２００３年６月１９日に出願された米国仮出願シリアル番号第６０／４８０，１５５の優先権の利益を主張する。これらは、その全体を本明細書において参照することにより組み込まれる。
【０００２】
本発明は一般に通信システムに関し、特に通信システムにおいてリバースリンク（アップリンク）を管理するための装置、システムおよび方法に関する。
【背景技術】
【０００３】
多くの無線通信システムは地理的に分散された基地局を採用し、通信セルまたは領域を供給する。この場合、サービスしている基地局は、サービスしている基地局に対応する領域内の移動局に通信サービスを供給する。ある状況において、各移動局から基地局に送信されたリバースリンク信号は、他の移動局から送信された他のリバースリンク信号と干渉する。干渉および制限されたリソースのために、各基地局のキャパシティは制限されている。基地局のリバースリンクキャパシティは、基地局によりサービスされる移動局によるリバースリンク負荷により、他の基地局によりサービスされる移動局による結合リバースリンク負荷により、および他の雑音源により影響される。リバースリンク負荷スケジューリングは、移動局の送信を制御することによりシステムリソースの効率的な使用を最大化するための機構を提供する。一般的な通信システムにおいては、集中コントローラーがリバースリンク負荷、リバースリンク結合負荷並びに他の要因を評価して適切負荷スケジューリングを決定する。しかしながら、ほとんどのデータアプリケーションの場合、リバースリンク送信は、他の基地局における負荷に影響を及ぼす可能性があるけれどもスケジューリング遅延を低減するために単一のサービスする基地局により移動局が制御される。
【０００４】
しかしながら、従来のシステムはいくつかの方法で制限される。例えば、集中コントローラーとの通信は著しい遅延を生じる。各基地局によって集められた情報は、集中コントローラーに送られる。集中コントローラーは、情報を処理し、各基地局のための最適な負荷キャパシティを決定し、最適な負荷キャパシティを基地局の各々に送信する。各基地局は、コントローラーによって提供される更新された負荷キャパシティに従って基地局がサービスしている移動局の通信を制限する。しかしながら、チャネル条件は、最適の負荷キャパシティを送信し、処理し、受信する必要があるときにしばしば変化する。従って、基地局は、最適なレベルから著しく異なったレベルで動作しているかもしれず、未使用のリソースや過負荷状態を生じる。例えば、コントローラーにより提供された最新の最適なキャパシティ情報に従って動作している基地局は、その最大キャパシティ付近で動作しようと試みている他の基地局を過負荷にするかもしれない場合に過負荷状態が生じるかもしれない。なぜならば、システムの遅延により、基地局に運ばれる情報に新しいチャネル状態を反映することができないからである。過負荷状態は、データの損失、メッセージの再送信、および他の望ましくない結果をもたらす。
【０００５】
従って、地理的に分散された基地局を有する通信システムにおいてリバースチャネルリソースを効率的に割り当てるための装置、システム、および方法の必要性がある。
【発明を実施するための最良の形態】
【０００６】
装置、システムおよび方法は、分散された基地局通信システムにおいてリバースリンク通信を管理する。ここに議論された例示実施形態において、リバースリンク通信は、通信システム内の基地局によって分散的に管理される。リバースリンク管理は、中央コントローラーを用いた通信に依存しないので、リバースリンクチャネルを管理する一般的な技術に関連した遅延は回避される。第１の例示実施形態において、サービスしていない基地局は、サービスしている基地局として他の基地局を識別した移動局により、サービスしていない基地局において検出された結合負荷パラメーターに基づいて結合負荷インジケーターを決定する。結合負荷パラメーターは、サービスしていない基地局において経験される結合負荷の表示を供給し、正規化され平均化された受信された信号対雑音比（ＳＮＲ）および移動局速度を含んでもよいパラメーターである。結合負荷パラメーターに基づいた結合負荷インジケーターはサービスしている基地局に送られる。サービスしている基地局は、結合負荷インジケーターおよびスケジュールされた送信データレートのような移動局送信パラメーターに基づいて、サービスしていない基地局において期待結合負荷を計算する。期待結合負荷は、サービスしていない基地局に送られる。サービスしていない基地局は、期待結合負荷を考慮することにより利用可能なキャパシティを計算する。サービスしていない基地局によりサービスされている移動局は、計算された利用可能なキャパシティに従って負荷スケジュールされる。
【０００７】
第１の例示実施形態において、サービスしていない基地局は、ある他の基地局によりスケジュールされる移動局による最大許容結合負荷を計算する。サービスしていない基地局は、サービスしている基地局としてある他の基地局を識別したすべての移動局により、サービスしていない基地局において（正規化され平均化された受信信号対雑音比（ＳＮＲ）のような）結合負荷パラメーターに基づいて結合負荷インジケーターを決定する。第２の例示実施形態において、サービスしていない基地局に関連した最大許容可能結合負荷は、スケジューリング期間毎にサービスしている基地局に送られ、移動局の測定された結合負荷インジケーターは、相対的に低い周波数でサービスしている基地局に送られる。考慮中のサービスしている基地局はまた、いくつかの他の移動局のためのサービスしてない基地局であるかもしれないので、サービスしている基地局は、また他の基地局によりサービスされている移動局からの最大許容可能結合負荷を決定する。基地局は、他の基地局から受信した最大許容可能結合負荷により課せられる制約に適合しながら、基地局によりスケジュールされていない移動局のために保有された最大許容可能結合負荷に従って負荷スケジューリングを実行する。
【０００８】
本発明の第３の例示実施形態において、他の基地局によりサービスされる移動局のリバースリンク送信による推定された期待結合負荷に従って、サービスしている基地局は、移動局のリバースリンク送信をスケジュールする。各基地局は、他の基地局によりサービスされる移動局による期待結合負荷を推定する。推定された結合負荷および基地局のキャパシティに基づいて、基地局は、基地局によりサービスされる移動局を負荷スケジュールする。それゆえ、第３の例示実施形態において、基地局は、他の基地局から明白なまたは直接の結合負荷情報を受信しない。従って、第３の実施形態は、迂回中継が基地局間の結合負荷情報の通信をサポートしない場合に、特に有効である。推定された結合負荷を計算するためにいくつかある技術のいずれを用いてもよいが、第３の実施形態において、推定は、移動局の以前のリバースリンク送信に基づく。各基地局は、実際の送信レートおよび測定されたＳＮＲに基づいて基地局によりスケジュールされていない移動局からの結合負荷を測定する。結合負荷の以前の測定値は、次のスケジュールされた送信の期間に期待結合負荷を推定する統計関数に供給される。統計関数は、ある環境において、適応的に変更してもよい相関に依存する。期待結合負荷の「盲目の」決定は、基地局が、基地局によりサービスされる移動局をスケジュールするのに利用可能なキャパシティを決定する。
【０００９】
図１は、本発明の例示実施形態に従って地理的に分散された基地局１０２、１０４、１０６、１０８を用いて移動局１１０、１１２、１１４に無線通信サービスを提供する通信システムのブロック図である。図２は、移動局２０２に対してサービスしている基地局２０４およびサービスしていない基地局２０６として機能する基地局（１０２-１０８）と単一の移動局が通信している通信システム１００の一部２００である。任意の特定の時間に、基地局（１０２-１０８）は、特定の移動局（１１０-１１４）に対してサービスしている基地局２０４とサービスしていない基地局として機能してもよく、または移動局（１１０-１１４）に対して直接なんらの機能も実行しなくてもよい。明瞭さのために、４つの基地局１０２、１０４、１０６、１０８および３つの移動局１１０、１１２、１１４が、図１において表わされる。通信システムは、任意の数の基地局（１０２−１０８）および移動局（１１０-１１４）並びに他の通信機器を含んでいてもよい。提示された例示実施形態において、通信システム１００は、音声およびデータサービスを提供するための符号分割多元接続（ＣＤＭＡ）通信技術を利用したセルラー通信システムである。当業者は、周知の技術に従って、教示を本願に適用することにより本発明に使用するのに適した種々の他のタイプの通信システム１００を、当業者は容易に認識するであろう。
【００１０】
各基地局１０２、１０４、１０６、１０８はサービス領域１１６、１１８、１２０、１２２またはセル内の移動局（１１０、１１２、１１４）に無線通信サービスを提供する。
【００１１】
移動局１１０−１１４は、どの時点においても２以上の基地局１０２−１０８と通信状態にあってもよいようにサービス領域１１６−１２０は重畳する。移動局１１０−１１４が、基地局１０２−１０８のサービス領域内にあるなら、移動局１１０−１１４は基地局１０２−１０８をアクティブな基地局として識別するであろう。しかしながら、以下にさらに詳細に記載されるように、データ通信のために、ただひとつの基地局（１０２−１０８）が特定の移動局（１１０−１１４）に対してサービスしている基地局２０４として機能する。サービスしている基地局２０４は、移動局２０２の次の送信をスケジュールすることに対して責任がある基地局である。図１は、サービス領域１１６、１１８、１２０、１２２を表す各基地局１０２−１０８を取り囲む例示形状を含む。この場合、基地局１０２−１０８は、サービス領域１１６−１２２内の移動局２０２（１１０−１１４）のためのサービスしている基地局２０４として機能する可能性が最も高い。各移動局１１０−１１４は、アクティブな基地局のセットをメモリに維持する。この場合、セットのメンバーは、要求された基準を満足する通信リンクを介して通信する。移動局１１０−１１４、２０２のためにアクティブな基地局（１０２−１０８）を選択するための適切な方法の一例は、基地局１０２−１０８から送信された信号が適当なレベルで移動局１１０−１１４に受信されるとき、アクティブな基地局（１０２−１０８）として、基地局１０２−１０８を識別することを含む。例示実施形態において、アクティブな基地局（１０２−１０８）は、基地局１０２−１０８、２０４、２０６から送信されたパイロット信号の受信した信号強度に基づいて選択される。いくつかの状況において、他の技術を用いてアクティブな基地局（１０２−１０８）２０４、２０６を選択してもよい。アクティブな基地局（１０２−１０８）２０４、２０６は、通信サービスを移動局１１０−１１４、２０２に提供する。この場合、サービスの質およびデータレートは、種々の理由により基地局１０２−１０８間で変化してもよい。
【００１２】
例示実施形態において、アクティブな基地局（１０２−１０８）の１つは、音声情報以外のデータの通信のためにサービスしている基地局として選択される。いくつかある技術および基準のいずれかを用いてサービスする基地局２０４を選択してもよい。サービスする基地局２０４は、フォワード通信リンク２１０（基地局１０２−１０８（２０４）から移動局１１０-１１２（２０２））の特性、リバース通信リンク２１２（移動局１１０−１１４（２０２）から基地局１０２−１０８（２０４））の特性またはリバース通信リンク２１２およびフォワード通信リンク２１０の両方の特性に基づいて選択してもよい。フォワードリンクチャネル２１０およびリバースリンクチャネル２１２の品質は、例えば、チャネルの搬送波対干渉比を測定することにより決定してもよい。例示実施形態において、リバースリンクチャネル品質インジケーターチャネル内に含まれる情報は、サービスしている基地局２０４を識別するために使用され、Ｒ−ＣＱＩＨチャネルにより識別される。サービスしている基地局２０４は、スケジューリング許可を介してデータ送信レートを割り当てること、および電力制御コマンドを送信することによりしきい値を超えるリバースリンクパイロット受信ＳＮＲを維持することのような種々のタスクを実行することにより、サービスしている基地局がサービスしている移動局２０２からの通信に応答する。さらに、サービスしている基地局２０４は、移動局２０２からの送信を復号し、ハイブリッド−ＡＲＱの場合にアクノレジメントを送信し、一方、サービスしていない基地局も送信を復号しソフトハンドオフの場合に、ＡＣＫを送信する。図１のサービス領域を表す取り囲んだ形状は、例示の地理的なサービス領域１１６−１２２を定義する。この場合、領域１１６−１２２内の移動局１１０−１１４は、対応する基地局１０２−１０８との適切な通信を持つ可能性があり、特定の基地局１０２−１０８をサービスしている基地局２０４として識別するであろう。しかしながら、他の基地局（１０２−１０８）は、移動局１１０−１１４、２０２に対するアクティブな基地局（１０２−１０８）として実行してもよい。図１に図解するように、第１の移動局１１０は、第１の基地局１０２により提供される第１のサービス領域１１６内にあり、第２の移動局１１２は、第２の基地局１０４により提供される第２のサービス領域１１８内にあり、第３の移動局は、第３の基地局１０６により提供される第３のサービス領域１２９内にあり、第４の基地局１０８は、第４のサービス領域１２２を提供する。
【００１３】
図３は、本発明の例示実施形態に従う基地局３００のブロック図である。例示の基地局３００は、図１および図２を参照して述べた基地局１０２−１０８、２０４、２０６のいずれか１つとして使用するのに適している。基地局３００は、基地局１０２−１０８に対する機能を実行するハードウェア、ソフトウェアおよびファームウェアの任意の組み合わせを含んでいてもよい。図３に記載されたブロックの機能と動作は、任意の数の装置、回路、またはソフトウエアにおいて実施してもよい。２以上の機能ブロックは、単一の装置内に集積してもよいし、任意の単一の装置またはブロック内で実行されると記載された機能は、いくつかの装置上で実施してもよい。例えば、いくつかの受信プロセスは、プロセッサー３０４により実行してもよい。
【００１４】
基地局は、特定の通信システム１００のプロトコルに従って移動局１１０−１１４と通信するように構成された無線トランシーバー３０２を含む。無線周波数信号は、いくつかの環境においてセクターを含んでいてもよいアンテナ３０８を介して交換される。無線トランシーバー３０２は、フォワードリンクチャネル２１２を介して信号を変調し、増幅し、送信し、リバースリンクチャネル２１０を介して移動局１１０−１１４により送信されたリバースリンク信号を受信し復調する。
【００１５】
プロセッサー３０４は、任意のプロセッサー、マイクロプロセッサー、コンピューター、マイクロコンピューター、またはここに記載する基地局３００の制御機能および計算機能を実行し並びに基地局３００の全体の機能性を容易にするのに適したプロセッサーの組み合わせである。プロセッサー３０４上で実行するソフトウエアコードは、信号を測定し処理し、および例示実施形態のリバースリンク管理機能を実行するための方法のステップを実行する。
【００１６】
迂回中継インターフェースは、通信システム１００の迂回中継２０８へのインターフェースを提供する。迂回中継インターフェース３０６は、迂回中継２０８を介して信号を交換するためのハードウエアとソフトウエアを含む。プロセッサー３０４は、迂回中継インターフェース３０６を介してコントローラー及び他の基地局１０２−１０８に情報を送信し、コントローラー及び他の基地局１０２−１０６から情報を受信する。
【００１７】
図４および図５は、本発明の例示実施形態に従って移動局１１０−１１４と基地局１０２−１０８との間の例示的関係を図解するものであり、図４はブロック図を、図５は表５００を図解する。図４において、基地局１０２−１０８を移動局１１０−１１４に接続する実線は、移動局２０２（１１０−１１４の１つ）とそれらの対応するサービスしている基地局（１０２−１０８の１つ）との間の接続を表し、破線は、移動局（１１０−１１４の１つ）とサービスしていない基地局２０６（１０２−１０８の１つ）との間の接続を表す。ここに議論されるように、サービスしていないアクティブな基地局２０６（１０２−１０８）は、サービスしている基地局２０４ではない移動局２０２のアクティブな基地局のセットにおいて識別される基地局３００である。図４および図５に図解される例示情報において、各移動局１１０−１１４は、移動局１１０−１１４と、サービスしていないアクティブな基地局（１０２−１０８）ではないすべての他の基地局（１０２−１０８）を含むサービス領域１１６−１２２に対応するサービスしている基地局２０４を含むアクティブな基地局のセットを維持する。従って、例示の状況の場合、基地局１０２−１０８のすべては、移動局１１０−１１４の各々によりアクティブな基地局として維持される。基地局からかなり離れた場所にある移動局は、アクティブな基地局のセット内に基地局を維持しないかもしれず、基地局が移動局からリバースリンク干渉を受信するかもしれないとしても基地局は、移動局に対してサービスしていない基地局として識別されないであろう。その信号強度が十分に強いこれらの移動局および処理されたそれらの送信だけが、基地局によって考慮される。単一の移動局１１０に一時的に焦点を合てると、第１の基地局１０２は、第１の移動局１１０、２０２のためにサービスしている基地局２０４であり、第２の基地局１０４、第３の基地局１０６および第４の基地局１０８は、第１の移動局１１０、２０２に対してサービスしていない基地局２０６である。この例において、任意の特定の移動局１１０−１１４に対して基地局１０２−１０８の只ひとつのみがサービスしている基地局２として実行しており、他の基地局はサービスしていない（アクティブの）基地局２０６として実行しているけれども、それゆえ、移動局１１０−１１４の各々のリバースリンク送信は、基地局１０２−１０８の各々において受信される。この結果、基地局１０２において経験されるリバースリンク負荷およびリバースリンク結合負荷は、基地局１０２によりサービスされる移動局１１０のリバースリンク負荷および他の移動局１１２、１１４の送信から生じる結合負荷による。
【００１８】
図６は、本発明の例示実施形態に従って基地局１０２−１０８において経験されるリバースリンク負荷およびリバースリンク結合負荷の負荷円グラフ６００の図解である。負荷円グラフの種々のセクション６０２−６０８は、例示状況に対して測定できるまたはシミュレートできる移動局１１０−１１４から生じる結合されたリバースリンク負荷を表す。任意の基地局１０２−１０８において、合計の結合リバースリンク負荷は、移動局１１０−１１４から生じてもよい。この場合合計リバースリンク負荷の各部分（６０２−６０８）は、特定のカテゴリにおける移動局（１１０−１１４）による。負荷部分（６０２−６０８）は、サービスしていない結合負荷部分、サービスしている単一でない負荷部分６０４、サービスしている単一負荷部分６０６、および考慮されない結合負荷部分６０８を含んでいてもよい。サービスしていない結合負荷部分６０２は、アクティブな基地局のセット内に基地局（１０２−１０８）を含むが、基地局（１０２−１０８）以外の基地局（１０２−１０８）によりサービスされている移動局（１１０−１１４）のすべてによる結合リバースリンク負荷を含む。それゆえ、サービスしていない結合負荷部分６０２に寄与する移動局１１０−１１４は、サービスしている基地局２０４として基地局（１０２−１０８）を識別しなかった。
【００１９】
単一でないサービスしている負荷部分６０４は、基地局（１０２−１０８）によりサービスされているすべての移動局１１０−１１４の結合リバースリンク負荷を含むが、アクティブな基地局のリスト内に他の基地局（１０２−１０８）を含む。それゆえ、単一でないサービスしている負荷部分６０４に寄与する移動局１１０−１１４は、基地局（１０２−１０８）をサービスしている基地局として識別したが、また、基地局（１０２−１０８）をサービスしていないアクティブな基地局として識別した。
【００２０】
単一のサービスしている負荷部分６０６は、基地局（１０２−１０８）によりサービスされるすべての移動局の結合リバースリンク負荷を含む。この場合、基地局（１０２、１０８）は、移動局１１０−１１４のいずれかのアクティブな基地局のセット内の唯一の基地局である。
【００２１】
考慮されない負荷部分６０８は、他の負荷部分６０２、６０４、６０６のいずれにも含まれなかった合計リバースリンク負荷に寄与するすべての他のリバースリンク信号および雑音を含む。考慮されない負荷部分６０８に寄与するかもしれないソースの一例は、アクティブセット内に基地局を含まないが、合計結合負荷に寄与する基地局に十分近い移動局からのリバースリンク送信を含む。そのような移動局はあまりにも遠くにあるので、アクティブな基地局のセットに基地局を含めるために基地局と適切な通信リンクを持つことができないが、十分でない寄与の合計は、リバースリンクキャパシティ内の割当を得るのに十分大きい。
【００２２】
負荷部分６０２−６０８の相対サイズは、絶えず変化するチャネル状態のためにほとんどの状況において時間に対して変化するであろう。変化するチャネル状態は、移動局１１０−１１４の移動、障害物の移動、または大幅に不均一な移動局１１０−１１４の分散により移動局１１０−１１４を取り外し、基地局間で移動局を移動する必要性のようないくつかの要因によるかもしれない。部分６０２−６０８のすべての結合負荷が基地局１０２−１０８のキャパシティを超えると、移動局に対するサービスの質は損害を受け、システムはわずかに不安定になり、セルのサービスエリアは減少して、呼の欠落につながる。負荷が基地局１０２−１０８のキャパシティ未満である場合に、データレートが移動局１１０−１１４の要求に従って調節されないなら、リソースの非効率な使用が起こる可能性がある。例示実施形態に従って、リバースリンク通信は基地局１０２−１０８により管理され、効率的にリバースリンクリソースを移動局１１０−１１４に割り当てる（負荷スケジュールする）。リバースリンクリソースは、例えば、基地局１０２−１０８に対する負荷に寄与するデータレートと電力レベルを含む。
【００２３】
図７は、本発明の第１の例示実施形態に従って、地理的に分散された基地局１０２−１０８を有する移動局１１０−１１４に通信サービスを供給する通信システム１００の一部７００のブロック図である。ほとんどの状況で、通信システム１００は、多数の移動局７０２に無線通信サービスを提供するために戦略的に位置するいくつかの基地局７０４，７０６を含む。移動局７０２と基地局（７０４，７０６）の間の通信チャネルの質によって、移動局７０２はどんな特別の時でも、２以上の基地局（７０４、７０６）で通信しているかもしれない。上に議論されるように、各移動局７０２はアクティブな基地局のセットを維持する。この場合、移動局７０２とアクティブな基地局７０４、７０６との間の通信リンクは、通信のために適している。アクティブな基地局のうち、１つの基地局はサービスしている基地局７０４として実行し、アクティブセット内の他の基地局はサービスしていない基地局７０６である。そのような状況は典型的にソフトハンドオフ期間中に生じる。この場合、単一の基地局はサービスしている基地局７０４の機能を実行し、１つ以上の基地局はサービスしていないアクティブな基地局７０６である。条件が保証される場合に、サービスしている基地局７０４の役割は、以前にサービスしていない基地局７０６として機能する（すなわち、ハンドオフが生じる）基地局に移動される。
【００２４】
明瞭さのために、図７は、移動局７０２およびサービスしている基地局７０４とサービスしていない基地局７０６を含む２つのアクティブな基地局７０４、７０６を表すブロックを含む。基地局３００は、多数の移動局７０２に対してサービスしている基地局７０４として機能してもよく、任意の１つの移動局７０２は、任意の数のアクティブな基地局７０４、６０６を維持してもよいことを、これらの教示および周知の技術に基づいて、当業者は認識するであろう。それゆえ、ここに議論された教示は、任意の数の移動局７０２、サービスしている基地局７０４、およびサービスしていない基地局７０６に拡張してもよい。以下にさらに詳細に述べるように、基地局３００は、アクティブな基地局になるための十分な品質の移動局７０２との通信リンクを有していないかもしれないがアクティブな基地局７０４、７０６のいずれか１つにおいて経験される負荷に寄与するかもしれない。サービスしている基地局７０４は、図１−４を参照して上で述べた第１の基地局１０２、第２の基地局１０４、または第３の基地局１０６であってよい。また、サービスしている基地局７０４は、他の移動局（図７に示されていない）のためのサービスしていない基地局７０６として機能してもよいし、サービスしていない基地局７０６は、（図７に示されていない）他の移動局のためのサービスしている基地局として機能してもよい。従って、基地局１０２−１０８は同時に、いくつかの移動局７０２に対してサービスしている基地局７０４として機能し、他の移動局に対してサービスしていない基地局として機能してもよい。それゆえ、基地局７０４、７０６の各々のためにここに記載された機能は、ほとんどの状況において他の基地局により同時に実行される。
【００２５】
第１の例示実施形態において、サービスしていない基地局７０６として機能する基地局３００は、サービスしている基地局７０４として機能する他の基地局３００から受信した期待結合負荷７１２に基づいて予測される利用可能なキャパシティを決定する。この場合、期待結合負荷７１２は、サービスしている基地局７０４によりサービスされている移動局７０２のリバースリンク送信２１０から生じるサービスしていない基地局７０６における期待結合負荷を示す。サービスしている基地局７０４は、サービスしていない基地局７０６から受信した結合負荷インジケーター７１０と、次のスケジュールされたデータ送信レートに相関するパラメーターを用いて予測される結合負荷７１２を決定する。サービスしている基地局７０４によりサービスされ、サービスしていない基地局としてサービスしていない基地局を含む複数の移動局７０２があるなら、期待結合負荷７１２は、期待結合負荷７１２およびスケジュールされた送信データレートに基づいて移動局の各々に対して決定される期待結合負荷の合計であり得る。サービスしていない基地局７０６は、移動局７０２のリバースリンク送信２１０を受信して処理し、正規化され平均化された受信信号対雑音比（ＳＮＲ）のような１つ以上の結合負荷パラメーターを決定する。他の結合負荷パラメーターの一例は、移動局７０２の速度である。結合負荷パラメーターに基づいて、サービスしていない基地局７０６は、結合負荷インジケーター７１０を計算する。結合負荷インジケーター７１０は、サービスしている基地局７０４に送られる。サービスしている基地局７０４は、結合負荷インジケーター７１０および移動局７０２の送信パラメーターを用いて、サービスしていない基地局７０６における予測される結合負荷を決定する。期待結合負荷は、移動局７０２の予期された将来のリバースリンク送信によりサービスしてない基地局７０６において生じるであろう結合リバースリンク負荷である。サービスしている基地局７０４は、期待結合負荷７１２を表す値をサービスしてない基地局７０６に送る。サービスしていない基地局７０６は、サービスしていない基地局７０６において予測される利用可能キャパシティを計算する。予測される利用可能なキャパシティを用いて、サービスしていない基地局７０６は、サービスしていない基地局がサービスしている移動局を適切に負荷スケジュールすることによりサービスしていない基地局によりサービスされる（図示しない）他の移動局のリバースリンク送信を管理する。２以上の移動局７０２がある場合に、サービスしていない基地局７０６は、アクティブセット内にサービスしてない基地局７０６を維持する各移動局７０２のための結合負荷インジケーター７１０を測定し計算する。結合負荷インジケーター７１０は、サービスしていない基地局７０６をアクティブな基地局として識別する移動局７０２に関連する各サービスしている基地局７０４に送られる。
【００２６】
第１の例示実施形態において、結合負荷インジケーター７１０は、チップあたりのエネルギー対雑音プラス干渉比（Ｅcp/Ｎt）である。Ｅcpはパイロット信号チップあたりのエネルギーを表す。リバースリンクパイロットが電力制御されるなら、予測される平均値（Ｅcp／Ｎt）は、特定の期間に平均化チップ（Ｅcp／Ｎt）により計算される。結合負荷インジケーター７１０は、予測される平均値（Ｅcp／Ｎt）であってもよいし、予測される平均値（Ｅcp／Ｎt）の任意の関数であってもよい。
【００２７】
結合負荷インジケーター７１０をサービスしている基地局７０４に送るために、いくつかの状況において、他の方法を使用してもよいけれども、結合負荷インジケーター７１０は、第１の例示実施形態において迂回中継２０８を介して送信される。従って、迂回中継２０８を介して結合負荷インジケーター７１０を送るために適切なメッセージングとアドレッシングが使用される。迂回中継インターフェース３０６は、迂回中継を介して結合負荷インジケーターを交換するために任意の必要な変換または処理を実行する。いくつかの状況において、結合負荷インジケーター７１０は、サービスしていない基地局７０６とサービスしている基地局７０４との間の直接通信リンクを介して送信することができる。例えば、いくつかの状況において、無線周波数またはマイクロ波ポイントツーポイントシステムリンクは、結合負荷インジケーター７１０を送信するために使用することができる。さらに、いくつかの状況において、結合負荷インジケーター７１０は、移動局７０２を介して運んでもよい。
【００２８】
第１の例示実施形態において、サービスしている基地局７０４は、次の送信サイクルの期間に送信することが予期される移動局７０２を識別し、サービスしていない基地局７０６から受信した結合負荷インジケーター７１０（例えば、Ｅcp／Ｎt）、および移動局７０２が次の送信の期間に使用することを許可された（スケジュールされた）送信データレートに基づいて期待結合負荷７１２を発生する。それゆえ、送信パラメーターは、第１の例示実施形態において、移動局７０２の予測されるデータレートを少なくとも含む。さらに、二次パイロット送信または制御チャネルトラヒック対パイロット比のような他の送信パラメーターを用いて、サービスしていない基地局７０６において期待結合負荷を計算してもよい。制御チャネルおよび音声チャネル上の自律送信が生じるシナリオにおいて、期待結合負荷７１２は、これらのチャネルにより寄与される平均期待結合負荷を考慮してもよい。第１の例示実施形態において、期待結合負荷７１２は、移動局７０２の予測される将来の送信において、サービスしていない基地局７０６により経験されるであろう予測値Ｅcp／Ｎt、およびスケジュールされた送信データレートを含む他の送信パラメーターのある関数である。サービスしている基地局７０４は、結合負荷インジケーター７１０に基づいて期待結合負荷７１２を発生し、期待結合負荷７１２をサービスしていない基地局７０６に送る。それゆえ、第１の例示実施形態において、期待結合負荷７１２は、サービスしていない基地局７０４における測定されたＥcp／Ｎt、制御チャネルおよび音声チャネル上のリバースリンク送信電力、および移動局７０２のトラヒックチャネル上のデータレートに基づく。しかしながら、期待結合負荷は、いくつかの状況において、他の値を表してもよい。例えば、期待結合負荷７１２は、以前の送信に比べてサービスしていない基地局において経験されるであろう結合負荷内の予測される変化を表してもよい。
【００２９】
アクティブな基地局のセット内に少なくとも１つの他のサービスしていない基地局７０６を含んだ２以上の移動局７０２をサービスしている基地局７０４がサービスしている場合に、サービスしている基地局７０４は、結合負荷インジケーター７１０をサービスしている基地局７０４に送った各サービスしていない基地局７０６に対して期待結合負荷７１２を発生する。従って、サービスしていない基地局７０６として機能する任意の特定の基地局３００は、サービスしている基地局７０４として機能する任意の数の基地局３００から期待結合負荷７１２を受信してもよい。
【００３０】
第１の例示実施形態において、期待結合負荷７１２は、迂回中継２０８を介してサービスしていない基地局７０４に送信される。迂回中継インターフェース３０６は必要な処理およびフォーマッティングを実行し、迂回中継２０８を介して期待結合負荷７１２をサービスしていない基地局７０４として機能する基地局３００に送信する。いくつかの状況において、他の技術を用いて期待結合負荷７１２を送ってもよい。
【００３１】
合計負荷のサービスしていない結合負荷部分６０２に寄与する移動局７０２の適切なサービスしている基地局７０４のすべてから期待結合負荷７１２を基地局３００が受信した後で、サービスしていない基地局７０６（３００）は利用可能なキャパシティを決定する。期待結合負荷７１２のすべての合計は、基地局３００における合計負荷の期待されるサービスしていない結合負荷部分である。利用可能なキャパシティは、サービスしていない基地局７０６（３００）の合計キャパシティと、期待されるサービスしていない結合負荷部分（４０２）の合計と、考慮されない負荷部分４０８の差である。音声または基本リバースチャネルトラヒックによる負荷を考慮した後で、基地局３００における利用可能なキャパシティ（ＣＡＶ）はそれゆえ以下のように表すことができる：
ＣＡＶ＝ＣＴＯＴ−（ＬｏａｄＥｘ＋ＬｏａｄＵＡ）
但し、ＣＴＯＴは、音声および基本リバースチャネルトラヒックによる負荷を考慮した後のセルの合計キャパシティである。ＬｏａｄＥｘはアクティブな基地局のセット内に基地局が含まれる他の基地局によりサービスされる移動局による期待されるサービスしない結合負荷である。および、ＬｏａｄＵＡは他のソースによる負荷である。
【００３２】
利用可能なキャパシティを用いて、移動局７０２のためのサービスしていない基地局７０６として機能する基地局３００は、サービスしていない基地局がサービスしている（図示しない）移動局にリバースリンクリソースを割り当てる（負荷スケジュールする）。例示実施形態において、サービスしていない基地局は、他のアクティブな基地局を維持する移動局にリソースを割り当てた後それらのアクティブな基地局内に任意の他の基地局を有さない移動局を負荷スケジュールする。
【００３３】
図８は、本発明の第１の例示に従って、少なくとも１つの移動局７０２に対してサービスする基地局７０４として機能する基地局３００において実行される期待負荷結合を決定する方法フローチャートである。いくつかの状況において、図８で述べられる方法は、サービスしていない基地局７０６としても機能する基地局３００において実行される。図８を参照して記載される方法は、サービスしている基地局７０４によりサービスされている少なくとも１つの移動局７０２のアクティブな基地局のセット内に少なくとも１つのサービスしていない基地局７０６が維持される場合に実行される。ここに議論される技術は、任意の数の基地局３００および移動局１１０−１１４に適用することができる。例示実施形態において、この方法は、１つ以上の基地局３００内のプロセッサー上で実行しているソフトウエアコードを用いて少なくとも部分的に実行される。周知の技術に従ってここにおける教示に基づいて述べられた方法を実施するために使用することができる種々の技術を当業者は容易に認識するであろう。
【００３４】
ステップ８０２において、結合負荷インジケーター７１０は、少なくとも１つの移動局７０２に対してサービスしていない基地局７０６として機能する基地局３００から受信される。結合負荷インジケーター７１０は、移動局７０２に対してサービスしている基地局７０４として機能する他の基地局３００によりサービスされる移動局７０２によるサービスしていない基地局７０６において測定された結合負荷を示す。サービスしていない基地局７０６は、移動局７０２により維持されるアクティブな基地局のセット内に含まれる。第１の例示実施形態において、結合負荷インジケーター７１０は、サービスしていない基地局７０６において測定されるＥcp／Ｎtを表す。
【００３５】
ステップ８０４において、サービスしている基地局７０４は、結合負荷インジケーター７１０および少なくとも１つの送信パラメーターに基づいて移動局７０２によりサービスしていない基地局７０６において期待結合負荷７１２を決定する。第１の例示実施形態において、サービスしている基地局７０４は、サービスしていない基地局７０６において測定される結合負荷インジケーター７１０、将来の予測される送信のための移動局のスケジュールされたデータ送信レート、および移動局７０２の送信電力レベルに基づいて、次の送信で送信することが予測される移動局７０２のための期待結合負荷７１２を計算する。それゆえ、期待結合負荷は、アクティブな基地局の移動局のリストに少なくともサービスしている基地局７０４とサービスしていない基地局７０６を含む移動局のリバースリンク送信によりサービスしていない基地局７０６に対する期待負荷である。
【００３６】
ステップ８０６において、期待結合負荷７１２は、移動局７０２に対してサービスしていない基地局７０６として機能する基地局３００に送られる。第１の例示実施形態において、期待結合負荷７１２は、移動局７０２の将来の予測される送信によりサービスしていない基地局７０６におけるスケジュールされた送信データレートと予測されるＥcp／Ｎtレベルの関数としての期待負荷を表す。しかしながら、期待結合負荷７１２は他のパラメーターまたは値を表してもよい。例えば、期待結合負荷７１２は、以前の送信に比べて移動局７０２の将来の送信によりサービスしていない基地局７０６において経験される負荷内の予測される変化を表してもよい。第１の例示実施形態において、期待結合負荷インジケーター７１２は、適切なプロトコルに準拠するようにフォーマットされ通信システム１００の迂回中継２０８を介して送信される。期待結合負荷インジケーター７１２は他の技術を用いてサービスしていない基地局７０６に送ってもよい。例えば、ポイントツーポイントマイクロ波リンクのような、サービスしている基地局７０４とサービスしていない基地局７０６との間の直接リンク通信リンクを用いて期待結合負荷を運ぶことができる。
【００３７】
図９は本発明の第１の例示実施形態に従ってサービスしていない基地局７０６として機能する基地局３００における利用可能なキャパシティを決定するための方法フローチャートである。いくつかの状況において、図９において述べられる方法は、他の移動局１１０−１１４に対してサービスしている基地局７０４として機能する基地局３００において実行される。図９を参照して記載される方法は、少なくとも１つの移動局７０２において維持されるアクティブな基地局のセットがサービスしていない基地局７０６とサービスしている基地局７０４を含む場合に実行される。ここに述べられた技術は任意の数の基地局３００および移動局１１０−１１４に適用することができる。
【００３８】
ステップ９０２において、期待結合負荷７１２は、少なくともサービスしていない基地局７０６およびサービスしている基地局７０４を含むアクティブな基地局のセットを維持する移動局７０２のサービスしている基地局７０４として機能する基地局３００から受信される。上述したように、期待結合負荷７１２は、移動局７０２の予測される将来の送信により、サービスしていない基地局７０６において経験される可能性がある期待結合負荷を表す。
【００３９】
ステップ９０４において、サービスしていない基地局７０６として機能する基地局３００は、期待結合負荷７１２に基づいてサービスしていない基地局７０６における利用可能なキャパシティを決定する。音声およびスケジュールされていないリバーストラヒックデータを考慮した後で、サービスしていない基地局７０６は、合計キャパシティと、すべての負荷および期待結合負荷の合計との間の差を計算することにより利用可能なキャパシティを決定する。残余は、サービスしていない基地局７０６がサービスしている基地局としてサービスしていてもよい移動局１１０−１１４のために使用することができるサービスしていない基地局７０６の利用可能なキャパシティを示す。
【００４０】
ステップ９０６において、サービスしていない基地局７０６として機能する基地局３００は、利用可能なキャパシティに従って移動局７０２に対するサービスしていない基地局７０６として機能する基地局３００によりサービスされる移動局１１０−１１４にリバースリンクチャネル２１２を割り当てる（負荷スケジュールする）。サービスしていない基地局７０６は、サービスしていない基地局７０６によりサービスされている任意の移動局１１０−１１４の電力レベルとデータレートを制限することにより利用可能なキャパシティを割り当てる。
【００４１】
例示実施形態において、図８および図９を参照して記載される方法は、いくつかの地理的に分散された基地局３００内で実行される。この場合、いつでも、基地局３００のいずれでも単独でサービスしている基地局７０４として機能してもよいし、単独でサービスしていない基地局として機能してもよいし、または１つ以上の移動局１１０−１１４のためのサービスしている基地局７０４と１つ以上の他の移動局１１０−１１４のためのサービスしていない基地局７０６の両方として機能してもよい。さらに、移動局７０２は、サービスしている基地局７０４に加えていくつかのサービスしていない基地局７０６を含むアクティブな基地局のセットを維持してもよい。従って、種々の基地局３００においてリバースリンク負荷を効率的に管理するために、結合負荷インジケーター７１０と期待結合負荷７１２は適切な基地局３００に運ばれ、複数の基地局３００からの受信した種々のパラメーターを考慮して計算が実行される。
【００４２】
図１０は、本発明の第１の例示実施形態に従って地理的に分散された基地局３００を有する通信システム１００においてリバースリンクチャネルリソースを割り当てる方法のフローチャートである。上で述べたように、サービスしている基地局７０４の機能とサービスしていない基地局７０６の機能は、いくつかの移動局１１０−１１４に対してサービスしている基地局７０４として機能し、他の移動局１１４に対してサービスしていないアクティブな基地局７０６として機能する単一の基地局３００内で実行してもよい。
【００４３】
ステップ１００２において、サービスしている基地局７０４として機能する基地局３００は、サービスしていない基地局７０６として機能する基地局３００において測定される結合負荷インジケーター７１０を受信する。この場合、結合負荷は、サービスしている基地局７０４によりサービスされ、１つ以上のサービスしていない基地局７０６を含むアクティブな基地局のセットを維持する移動局７０２からのリバースリンク送信による。各サービスしていない基地局７０６は、送信のレートとともに、他の基地局３００によりサービスされる移動局によりサービスしていない基地局７０６において測定された結合負荷を表す結合負荷インジケーター７１０を発生する。結合負荷インジケーター７１０は、サービスしていない基地局７０６によって迂回中継７０８を介して対応するサービスしている基地局７０４に送信される。
【００４４】
種々の基地局３００、７０４、７０６間の関係を特徴づけおよび記載するための適切な表記は、基地局のセットを表示するための添え字を用いることを含む。
【００４５】
第１の例示実施形態において、
【数１】
0004550812.tif 000002
【００４６】
である場合を除いて、移動局（ＭＳi）のアクティブセット内にある各基地局（ＢＳj）は、（Ｅcp／Ｎt)jiを測定しＭＳiのためのサービスしている基地局に送信する。第１の例示実施形態において、（Ｅcp／Ｎt）jiは結合負荷インジケーターとして使用される。サービスしているＢＳＭＳiは移動局（i）のためのサービスしている基地局のセットであり、（Ｅcp／Ｎt）ji（ｌ＋（Ｔ／Ｐ）（Ｒi）＋（Ｃ／Ｐ）／（１＋（Ｅcp／Ｎt）ji（ｌ＋（Ｔ／Ｐ）（Ｒi）＋（Ｃ／Ｐ）））は、サービスしている基地局によりサービスされる移動局（ＭＳi）によりサービスしていない基地局（ＢＳj）において経験される結合負荷である。
【００４７】
（Ｔ／Ｐ）（Ｒi）は、送信レートがＲiのときのトラヒックチャネルのトラヒック対パイロット比である。（Ｃ／Ｐ）は制御チャネル（および基本チャネル）電力対パイロット電力比の合計である。例示実施形態において、（Ｅcp／Ｎt）jiを表わす値は、サービスしている基地局（ＢＳk）に送信される。
【００４８】
ステップ１００４において、各サービスしている基地局７０４は、サービスしている基地局７０４によりサービスされる移動局７０２を識別し、将来の送信期間に送信することが予想される。各基地局（ＢＳk）の場合、ＢＳkは、ＢＳkによりサービスされ最小優先度を超える優先度を有する移動局を含むセット（ＦＳk）を決定する。
【００４９】
ステップ１００６において、各サービスしている基地局７０４は、サービスしている基地局７０４がサービスしている移動局７０２によりサービスしていない基地局７０６に対する期待結合負荷７１２を決定する。サービスしている基地局７０４は、サービスしている基地局７０４において受信された結合負荷インジケーター７１０および移動局７０２の送信パラメーターに基づいて送信することが予測される（すなわち、セットＦＳkのメンバーである）移動局７０２の各々のための結合負荷を決定する。従って、ＢＳkは他のＢＳj内のＦＳk内のすべてのＭＳiのための期待結合負荷を決定する。ただし
【数２】
0004550812.tif 000003
【００５０】
である。
【００５１】
但しCoupledLoadkjは、ＢＳkによりサービスされるＭＳiによりＢＳjにおいて経験される合計結合負荷であり、
【数３】
0004550812.tif 000004
【００５２】
は、ＭＳiにＲ−ＳＣＨ上のレートＲiが割り当てられるなら干渉比に対する推定された信号である。Ｅ［ＲFCH］は、パイロットチャネル電力に対する（基本音声チャネルおよび二次パイロットチャネルを含む）制御チャネル電力の合計である。
【数４】
0004550812.tif 000005
【００５３】
は、以下の式に従う（Ｅcp／Ｎt）jiに関連している。
【数５】
0004550812.tif 000006
【００５４】
ただし、（Ｔ／Ｐ）（Ｒi）は、サービスしている基地局によりスケジュールされるトラヒックチャネル上の送信レートがＲiであるときのトラヒック対パイロット電力比である。
【００５５】
ステップ１００８において、サービスしている基地局７０４の各々は、期待結合負荷（ＣｏｕｐｌｅｄＬｏａｄkj)をサービスしていない基地局７０６に送る。期待結合負荷は、サービスしている基地局７０４により計算された期待結合負荷を表す。各基地局（ＢＳk）はＣｏｕｐｌｅｄＬｏａｄkjをすべての他の基地局に送る。例示実施形態において、期待結合負荷７１２は、迂回中継２０８を介して送信される。
【００５６】
ステップ１１１０において、少なくとも１つの移動局７０２に対してサービスしていない基地局７０６として機能し、期待結合負荷７１２を受信する各基地局３００は、期待結合負荷７１２に基づいてサービスしていない基地局７０６の利用可能なキャパシティを決定する。サービスしていない基地局７０６の各々は、他の移動局のためのサービスしている基地局７０４かもしれないので、各サービスしている基地局７０４は、特定のサービスしている基地局７０４がまたサービスしていない基地局７０６でもあるなら、他のサービスしている基地局７０４から結合負荷インジケーターを受信する。従って、CoupledLoadjkを受信するＢＳkの各サービスしていない基地局７０６は以下の式を用いてＢＳkにおいて利用可能なキャパシティを決定する。
【数６】
0004550812.tif 000007
【００５７】
CoupledinLoadkは他のサービスしている基地局７０４から受信した結合負荷の合計であり、Cavkは、音声および基本リバースチャネルデータトラヒックからのすべての他の負荷寄与を考慮した後のサービスしている基地局７０４における利用可能なキャパシティである。
【００５８】
ステップ１０１２において、サービスしていない基地局７０６としても機能するサービスしている基地局７０４は、サービスしている基地局７０４のための利用可能なキャパシティに従って移動局１１０−１１４にリバースリンクチャネルリソースを割り当てる（すなわち、移動局を負荷スケジュールする）。それゆえ、第１の例示実施形態において、サービスしていない基地局７０６でもある、各サービスしている基地局７０４は、サービスしている基地局７０４によりサービスされまた以下の式に従って他のアクティブな基地局も維持する移動局ＭＳiを負荷スケジュールする。
【数７】
0004550812.tif 000008
【００５９】
但し、CoupledoutLoadKは、アクティブセット内に複数の基地局を有するがサービスしている基地局によりサービスされる移動局のすべてのスケジュールされた負荷である。CoupledoutLoadkjはＢＳkによりＢＳjに送られたCoupledinLoadkjと同じである。モバイルをスケジュールした後で残りの利用可能なキャパシティに従って、サービスしている基地局ＢＳkは、唯一のサービスしている基地局を唯一のアクティブな基地局として維持する移動局にリバースチャネルリソースを割り当てる。
【００６０】
それゆえ、本発明の第１の例示実施形態に従って、移動局７０２のアクティブな基地局のセットのメンバーである各基地局３００は、他の基地局７０４によりサービスされるこれらの移動局７０２による結合負荷を測定して移動局７０２のサービスしている基地局７０４に送る。各サービスしている基地局７０４は、計算している基地局７０４によりサービスされ他のアクティブな基地局を維持するこれらの移動局７０２のための期待結合負荷７１２を計算する。各サービスしている基地局７０４は、他の移動局に対してサービスしている基地局７０４として機能している他の基地局３００から受信した期待結合負荷に基づいて利用可能なキャパシティを計算する。従って、各基地局は、基地局３００における合計負荷に寄与する移動局をサービスしている他の基地局により計算された期待結合負荷に基づいて利用可能なキャパシティを決定する。リソースは、中央コントローラーの使用なしに効率的に割り当てられ、それゆえ、遅延を最小化し、再送信および紛失データの可能性を低減する。
【００６１】
図１１は本発明の第２の例示実施形態に従う通信システム１００の一部１１００のブロック図である。明瞭さのために、図１１は、２つの移動局１１０２と、サービスしている基地局１１０４およびサービスしていない基地局１００６を含む２つのアクティブな基地局１１０４、１１０６を表すブロックを含む。基地局は多数の移動局１１０２に対してサービスしている基地局１１０４として機能してもよく、いずれの移動局１１０２も任意の数のアクティブな基地局１１０４、１１０６を維持してもよいことを、これらの教示および周知の技術に基づいて当業者は認識するであろう。それゆえ、ここに述べられた教示は、任意の数の移動局１１０２、サービスしている基地局１１０４、およびサービスしていない基地局１００６に拡張してもよい。サービスしている基地局１１０４は図１乃至図４を参照して上で述べた第１の基地局１０２、第２の基地局１０４または第３の基地局１０６であってもよい。サービスしている基地局１１０４はまた（図１１には示されていない）他の移動局のためのサービスしていないアクティブな基地局として機能してもよく、サービスしていない基地局１１０６は、（図１１には示されていない）他の移動局のためのサービスしている基地局として機能してもよい。従って、基地局は、同時に、いくつかの移動局に対してサービスしている基地局１１０４として機能し、他の移動局１１０２に対してサービスしていない基地局１１０６として機能してもよい。それゆえ、基地局１１０４、１１０６の各々のためにここに記載した機能は、ほとんどの環境において基地局１１０４、１１０６のその他により同時に実行される。
【００６２】
第２の例示実施形態において、サービスしていない基地局１１０６として機能する基地局３００は、サービスしている基地局１１０４として機能する他の基地局によりサービスされる移動局１１０２のための最大許容結合負荷を決定する。サービスしていない基地局１１０６の合計キャパシティと、サービスしていない基地局１１０６によりサービスされる他の移動局（図示せず）による負荷に基づいて、サービスしていない基地局１１０６は、サービスしていない基地局１１０６によりサービスされない移動局１１０２による最大許容結合負荷を決定する。第２の例示実施形態において、サービスしていない基地局１１０６は、サービスしている基地局としていくつかの他の基地局１１０４を有する移動局のためのキャパシティを保存する。サービスしていない基地局１１０６は、基地局１１０４によりサービスされる移動局１１０２がサービスしていない基地局１１０６における合計負荷に寄与することができる最大許容結合負荷を決定する。サービスしていない基地局１１０６は次に、アクティブ基地局のセットにサービスしていない基地局１１０６を維持する、サービスしている基地局１１０４によりサービスされるすべての移動局１１０２のための最大許容結合負荷１１１２の合計を送る。サービスしていない基地局１１０６は、各移動局１１０２のための結合負荷インジケーターを決定する。結合負荷インジケーター１１１０は、移動局１１０２のリバースリンク送信によるサービスしていない基地局における測定されたトラヒック品質推定値を表す。電力制御されたパイロットチャネルを有したＣＤＭＡシステムにおいて、長期に平均化され、予測されたパイロットＳＮＲは適切な結合負荷インジケーターである。サービスしている基地局１１０４は、最大許容結合負荷に従ってリバースリンクリソースを移動局１１０２に割り当てる。第２の例示実施形態において、サービスしている基地局は制約の２つのセットに従ってリバースリンクリソースを割り当てる。制約の第１のセットは、サービスしている基地局１１０４のキャパシティにより課せられ、移動局１１０２に割り当てられた送信データレートは、サービスしている基地局１１０４における利用可能なキャパシティより少ない負荷をサービスしている基地局１１０４に作らなければならないことを要求する。制約の第２のセットは、サービスしていない基地局１１０４により報告される最大許容結合負荷１１１２により課せられる。アクティブセット内にサービスしていない基地局１１０６を有するすべての移動局に、サービスしている基地局１１０４により割り当てられたレートは、最大許容結合負荷より少ない負荷をサービスしていない基地局において作らなければならない。結合負荷インジケーター１１１０と割り当てられた送信データレートは、サービスしていない基地局１１０４において移動局１１０２により寄与される予測される負荷を決定する。
【００６３】
図１２は本発明の第２の例示実施形態に従ってサービスする基地局として機能する基地局３００において実行されるリバースリンクチャネルを管理する方法のフローチャートである。いくつかの状況において、図１２で述べられる方法は、サービスしていない基地局１１０６としても機能している基地局３００において実行される。図１２を参照して記載される方法は、少なくとも１つのサービスしていない基地局１１０６が、サービスしている基地局１１０４によりサービスされている少なくとも１つの移動局１１０２のアクティブな基地局のセットに維持されている場合に実行される。ここに議論される技術は、任意の数の基地局３００および移動局１１０２に適用することができる。
【００６４】
ステップ１２０２において、サービスしている基地局として機能する基地局３００は、移動局１１０２に対してサービスしていない基地局１１０６としてサービスする他の基地局３００において最大許容結合負荷を表す最大許容結合負荷１１１２を受信する。最大許容結合負荷１１１２は、サービスしていない基地局１１０６によりサービスされる移動局の優先度とサービスレート要求に基づいてサービスしていない基地局１１０６により決定される。
【００６５】
ステップ１２０４において、結合負荷インジケーター１１１０はサービスしている基地局１１０４において受信される。例示実施形態において、結合負荷インジケーター１１１０はサービスしていない基地局１０６において測定された結合負荷パラメーターに基づき、サービスしている基地局１１０４によりサービスされる移動局１１０２のリバースリンク送信２１０によりサービスしていない基地局１１０６において測定されたトラヒックチャネルの品質を表す。
【００６６】
ステップ１２０６において、サービスしている基地局１１０４は、最大許容結合負荷１１１２に従って移動局１１０２のリバースリンク送信を管理する。例示実施形態において、サービスしている基地局１１０４は、アクティブな基地局のセット内にサービスしていない基地局１１０６を維持するすべての移動局１１０２の期待結合負荷を計算する。各移動局１１０２のための結合負荷インジケーター１１１０と、各移動局１１０２の移動局送信パラメーターを用いて、サービスしている基地局１１０４は移動局１１０２のための期待結合負荷を計算する。サービスしていない基地局１１０６における合計期待結合負荷が将来の送信の期間に最大許容結合負荷１１１２を超えないように、サービスしている基地局１１０４は、移動局１１０２に対するデータ送信レートをスケジュールする。従って、サービスしている基地局１１０４は、サービスしていない基地局１１０６により提供される制限に従いながら、移動局１１０２にリソースを割り当て、それによりサービスしていない基地局１１０６における過負荷状態の可能性を最小にする。
【００６７】
図１３は、本発明の第２の例示実施形態に従ってサービスしていない基地局１１０６として機能する基地局３００においてリバースリンクチャネルリソースを管理する方法のフローチャートである。
【００６８】
ステップ１３０２において、移動局１１０２に対してサービスしていない基地局１１０６として機能する基地局３００は、移動局１１０２のリバースリンク送信によるサービスしていない基地局１１０６において測定された結合負荷パラメーターに基づいて、移動局１１０２に対してサービスしている基地局１１０４として機能する他の基地局３００に、結合負荷インジケーターを送る。
【００６９】
ステップ１３０４において、サービスしていない基地局１１０６は、最大許容結合負荷を決定する。種々の移動局レート要求は、それらの優先度の降べきの順に配列される。より高い優先度を有する移動局にキャパシティが割り当てられた後に、最大許容結合負荷のある一部分が移動局１１０２のために取っておかれたキャパシティに等しくなるように、移動局１１０２にキャパシティが割り当てられる。
【００７０】
ステップ１３０６において、最大許容負荷を表す最大許容結合負荷１１１２は、サービスしている基地局として機能する基地局３００に送られる。第２の例示実施形態において、最大許容結合負荷１１２は迂回中継を介してサービスしている基地局１１０４に送信される。
【００７１】
図１４は、本発明の第２の例示実施形態に従って、地理的に分散された基地局を有する通信システムにおいてリバースリンクチャネルリソースを割り当てる方法のフローチャートである。上述したように、サービスしている基地局１１０４の機能とサービスしていない基地局１１０６の機能は、いくつかの移動局１１０−１１４に対してサービスする基地局１１０４として機能し、他の移動局１１４に対してサービスしていない基地局１１０６として機能する単一の基地局３００内において実行してもよい。
【００７２】
ステップ１４０２において、他の基地局によりサービスされている移動局１１０２のアクティブリストに維持されるすべての基地局は、結合負荷インジケーターを、移動局をサービスしている他の基地局１１０４に送る。結合負荷インジケーター１１１０は基地局１１０６において測定された結合負荷パラメーターに基づく。第２の例示実施形態において、基地局１１０６は、他の基地局１１０４によりサービスされ、アクティブな基地局のセット内に基地局１１０６を維持する移動局１１０２のリバースリンク送信によるＥcp／Ｎt値を測定し送る。
【００７３】
種々の基地局３００、１１０４、１１０６間の関係を特徴づけ、記載するための適切な表記法は、基地局のセットを表示するために添え字を用いることを含む。第２の例示実施形態において、移動局（ＭＳi）のアクティブセット内にある各基地局（ＢＳj）は、
【数８】
0004550812.tif 000009
【００７４】
の場合を除いて、（Ｅcp／Ｎt)jiを測定し、ＭＳiのためにサービスしている基地局に送る。第２の例示実施形態において、（Ｅcp／Ｎt)jiは結合負荷インジケーター１１１０として使用される。サービスしているＢＳ＿ＭＳiは移動局（i）のためのサービスしている基地局のセットであり、(Ｅcp／Ｎt)ji(1+(T/Ｐ）（Ｒi）＋（Ｃ／Ｐ））／（１＋（Ｅcp／Ｎt)ji（１＋（Ｔ／Ｐ）（Ｒi）＋(Ｃ/Ｐ）））は、サービスしている基地局によりサービスされる移動局（ＭＳi）によるサービスしていない基地局（ＢＳj）において経験される結合負荷である。（Ｔ／Ｐ）（Ｒi）は送信レートがＲiのときトラヒックチャネルのトラヒック対パイロット比を指す。（Ｃ／Ｐ）はパイロット電力比に対する制御チャネル（および基本チャネル）の合計を指す。例示実施形態において、（Ｅcp／Ｎt)jiを表す値は、サービスしている基地局（ＢＳk）に送信される。
【００７５】
ステップ１４０４において、サービスしている基地局として機能する基地局３００は、基地局１１０４によりサービスされる移動局によりアクティブな基地局のセット内に維持される基地局１１０６から結合負荷インジケーターを受信する。
【００７６】
ステップ１４０６において、基地局は、基地局によりサービスされる移動局の要求と優先度に基づいて、他の基地局によりサービスされる移動局による最大許容結合負荷１１１２を決定する。サービスしていない基地局として機能する各基地局ｊ内のスケジューラー機能は、他の基地局によりサービスされる移動局のための最大許容結合負荷キャパシティ(MaxTolerableCoupledLoad jk）を保存する。
【００７７】
ステップ１４０８において、基地局は、最大許容結合負荷を他の基地局に送る。従って、サービスしていない基地局として機能する各基地局は、最大許容結合負荷キャパシティ１１１２(MaxTolerableCoupledLoad jk）をサービスしている基地局ｋに送る。
【００７８】
ステップ１４１０において、サービスしている基地局として機能する基地局は、基地局によりサービスされる移動局１１０２のアクティブな基地局のセット内に維持されているサービスしていない基地局１１０６から最大許容結合負荷１１０２を受信する。
【００７９】
ステップ１４１２において、基地局は、いくつかの移動局に対してサービスしていない基地局１１０６として機能し、他の移動局に対してサービスしている基地局１１０４として機能する基地局によりサービスされる移動局のための基地局における利用可能なキャパシティを計算する。他の基地局によりサービスされるすべての移動局１１０２のためのキャパシティを保存した後、サービスしていない基地局ｊとして機能する基地局は、以下の式に従って利用可能なキャパシティを計算する：
【数９】
0004550812.tif 000010
【００８０】
但し、Ｃａｖjは、基地局ｊがサービスしている基地局である移動局をスケジュールするためのサービスしていない基地局ｊにおける利用可能なキャパシティである。要因ｆは、基地局ｊがスケジューリングに関与していない移動局のためのキャパシティを保存する際に、基地局ｊがどの程度保存力があるかを表す。ｆ＝０は基地局ｊがスケジューリングしていない移動局のための任意のキャパシティを保存しない場合を表し、ｆ＝１は基地局ｊが最も保存力がある場合を表す。
【００８１】
ステップ１４１４において、基地局は、他の基地局から受信した最大許容結合負荷１１１２に従ってリバースリンクリソースを割り当てることによりリバースリンク送信を管理する。第２の例示実施形態において、以下の基準に従って、基地局ｋによりサービスされるすべての移動局ｉに送信データレートを割り当てることにより基地局ｋはリバースリンクリソースを割り当てる。
【数１０】
0004550812.tif 000011
【００８２】
CoupledLoadおよびSinrは第１の例示実施形態を参照して上に定義される。
【００８３】
従って、各基地局は、他の基地局によりサービスされる移動局による基地局において結合負荷を決定し、これらの移動局のためのキャパシティを保存し、これらの移動局をサービスしているすべてのサービスしている基地局に最大許容結合負荷を送り、および基地局がサービスしている移動局のための利用可能なキャパシティと、基地局によりサービスされる移動局のサービスしていない基地局から受信した最大許容結合負荷とに基づいて、リバースリンクリソースを割り当てる。
【００８４】
図１５は、本発明の第３の例示実施形態に従って、地理的に分散された基地局１０２−１０８を有した移動局１１０−１１４に通信サービスを提供する通信システム１００の一部１５００のブロック図である。ほとんどの状況において、通信システム１００は、多数の移動局１５０２に無線通信サービスを提供するために戦略的に位置するいくつかの基地局１５０４および１５０６を含む。移動局１５０２と基地局（１５０４、１５０６）の間の通信チャネルの質によって、移動局１５０２は任意の特定の時間に２以上の基地局（１５０４、１５０６）と通信してもよい。上述したように、各移動局１５０２はアクティブな基地局のセットを維持する。この場合、移動局１５０２とアクティブな基地局１５０４、１５０６との間の通信リンクは、通信のために適している。アクティブな基地局のうち、１つの基地局はサービスしている基地局として実行し、アクティブセット内の他の基地局はサービスしていない基地局１５０６である。そのような状況はソフトハンドオフの期間に典型的に生じる。この場合、単一の基地局がサービスしている基地局１５０４の機能を実行し、１つ以上の他の基地局はサービスしていないアクティブな基地局１５０６である。条件が保証される場合に、サービスしている基地局１５０４の役割は、以前にサービスしていない基地局１５０６として機能する基地局に転送される（すなわち、ハンドオフが生じる）。
【００８５】
明瞭さのために、図１５は、移動局１５０２と、サービスしている基地局１５０４とサービスしていない基地局１５０６を含む２つのアクティブな基地局１５０４、１５０６を表すブロックを含む。基地局３００は多数の移動局１５０２に対してサービスしている基地局１５０４として機能してもよいし、いずれか１つの移動局１５０２は、任意の数のアクティブな基地局１５０４、１５０６を維持してもよいことを、これらの教示および周知の技術に基づいて、当業者は認識するであろう。それゆえ、ここに述べられる教示は、任意の数の移動局１５０２、サービスしている基地局１５０４、およびサービスしていない基地局に拡張してもよい。以下にさらに詳細に述べるように、他の基地局３００は、アクティブな基地局になるための十分な品質の、移動局との通信リンクを有していないかもしれないが、アクティブな基地局１５０４、１５０６のいずれか１つにおいて経験される負荷に寄与するかもしれない。サービスしている基地局１５０４は、図１乃至図４を参照して上に述べた第１の基地局、第２の基地局または第３の基地局であってよい。また、サービスしている基地局１５０４は、（図１５に示していない）もうひとつの移動局のためのサービスしていない基地局１５０６として機能してもよく、サービスしていない基地局１５０６は、（図１５に示していない）他の移動局のためのサービスしている基地局１５０４として機能してもよい。従って、基地局１０２−１０８はいくつかの移動局１５０２に対してサービスする基地局１５０４として、および他の移動局に対してサービスしない基地局として同時に機能してもよい。それゆえ、基地局１５０４、１５０６の各々のためのここに記載した機能は、ほとんどの状況において基地局のその他により同時に実行される。
【００８６】
第３の例示実施形態において、サービスしていない基地局１５０６として機能する基地局３００は、他の基地局１５０４によりサービスされる移動局１５０２による期待結合負荷１５０８を推定し、期待結合負荷１５０８に従ってリバースリンクリソースを割り当てる。従って、本発明の第３の例示実施形態において、サービスしている基地局１５０４とサービスしていない基地局１５０６との間では、直接のまたは明示的な通信は迂回中継２０８を介して通信されない。サービスしている基地局１５０４は、サービスしている基地局１５０４において受信したトラヒックチャネルのチャネル品質に基づいて、サービスしている基地局がサービスしているすべての移動局１５０２をスケジュールする。
【００８７】
サービスしていない基地局１５０６は、サービスしていない基地局がスケジューリングしていない（すなわち、サービスしていない）が、サービスしていない基地局１５０６により受信され処理されるリバースリンク信号２１０を送信しているすべての移動局１５０２により寄与される期待結合負荷１５０８を推定した後で、サービスしていない基地局１５０６によりサービスされる（図示しない）移動局をスケジュールする。いくつかの状況において、サービスしていない基地局１５０６による期待結合負荷の推定は、サービスしていない基地局１５０６とのソフトハンドオフにおける移動局１５０２の以前の送信でなされた測定に基づく。この推定は、１５０６がサービスしていない基地局１５０６であり、いずれかの他の基地局によりサービスされるすべての移動局１５０２からの合計期待結合負荷を含む。
【００８８】
図１６は、本発明の第３の例示実施形態に従って地理的に分散された基地局を有する通信システム１００においてリバースリンクリソースを管理する、基地局３００において実行される、方法のフローチャートである。
【００８９】
ステップ１６０２において、サービスしていない基地局１５０６は、他の基地局１５０４によりサービスされる移動局１５０２のリバースリンク送信２１０による少なくとも１つの結合負荷パラメーターを測定する。第３の例示実施形態において、すべての送信間隔期間において、サービスしていない基地局ｊは、アクティブセット内にＢＳjを有するがＢＳjによりスケジュールされないすべてのＭＳiにより寄与される制御および音声チャネル上で受信したパイロットＳＮＲ（Ｅcp／Ｎt）ji）および送信レートを測定する。（Ｅcp／Ｎt)jiおよび送信レートＲiに基づいて、（ｎによりインデックスされる）合計結合負荷(TotCoupledLoadj)は以下の式に従って計算される：
【数１１】
0004550812.tif 000012
【００９０】
ｊｉおよび伝送速度Ｒｉに（Ｅｃｐ／Ｎｔ）基づいた、変流器（ｎによってインデックスを付けられた）中の合計のつながれたロード（ＴｏｔＣｏｕｐｌｅｄＬｏａｄｊ）次の方程式によって計算される：
ステップ１６０４において、基地局１５０６は、少なくとも１つの以前の測定された合計結合負荷に基づいて将来の送信のための期待結合負荷を推定する。いくつかある技術のいずれかを用いて将来の送信のための期待結合負荷(TotCoupledLoadj[n+1]）を推定してもよく、特定の技術は通信システム１００のタイプ、リバースリンク２１０、２１２の送信構造および他の要因に依存する。１つの適切な技術は、TotCoupledLoadj[n+1]のための期待値として測定されたTotCoupledLoadj[n]を使うことを含む。他の技術は、以下の式により指定されるTotCoupledLoadj[n+1]を推定するためにフィルターされた平均値(Exp_TotCoupledLoadj)を計算することを含む。
【数１２】
0004550812.tif 000013
【００９１】
但し、αiはフィルター係数であり、Ｌはフィルタリングの長さである。信号処理スキームは、係数αiを推定するために採用してもよい。さらに、係数αiは、推定されたTotCoupledLoadj[n+1]と時刻ｎ＋１における実際に測定されたTotCoupledLoadj[n+1]との間の平均二乗誤差を最小にするために適切に変化することができる。
【００９２】
それゆえ、少なくとも１つの以前の送信のための他の基地局によりサービスされる移動局のリバースリンク送信２１０により合計結合負荷が決定される。推定される期待結合負荷は、以前の合計結合負荷に基づき、以前の結合負荷の１つに等しくてもよくまたは以前の送信期間のための複数の結合負荷を処理することにより決定してもよい。いくつかの状況において、以前の結合負荷に基づいて推定された期待結合負荷を決定するために他の技術を使用してもよい。
【００９３】
リバースリンク送信上のHybrid-ARQを備えたシステムにおいて、パケットの送信は、パケットが成功裏に受信されるまで複数の送信により実行される。第１の送信とそれぞれの送信との間の遅延が固定のままであるならば、パケットの送信ラインとその次の再送信はＡＲＱインスタンスと呼ばれる。再送信により、次のＡＲＱインスタンスの期間における結合負荷間の強い相関が存在するかもしれない。この相関を利用するために、TotCoupledLoadは、同じＡＲＱインスタンスの期間に以前の送信から推定してもよい。
【００９４】
ステップ１６０６において、基地局は、推定された期待結合負荷１５０８に従って、基地局によりサービスされる移動局のリバースリンク送信２１０を管理する。第３の例示実施形態において、サービスしていない基地局ｊは、推定された期待結合負荷Est_TotCoupledLoadj[n+1]を決定した後に、以下の式に従って、サービスする基地局として基地局ｊを有する移動局をスケジュールするための利用可能なキャパシティを更新する。
【数１３】
0004550812.tif 000014
【００９５】
第３の例示実施形態において、基地局ｊは、合計利用可能なキャパシティが超えないようにリバースリンクリソースを割り当てる。従って、第３の例示実施形態において、サービスしていない基地局１５０６として機能する基地局は、他の基地局１５０４によりサービスされるすべての移動局１５０２による期待結合負荷を推定し、合計の期待結合負荷を考慮した後で基地局における残りの合計キャパシティに基づいて、サービスしていない基地局によりサービスされる移動局にリバースリンクリソースを割り当てる。
【００９６】
明らかに、この発明の他の実施形態および変形は、これらの教示に鑑みて当業者に容易に生じるであろう。上の記載は例示であり制限するものではない。この発明は以下のクレームによってのみ限定される。これらのクレームは、上の明細書および添付図面とともに見たときすべてのそのような実施形態および変形を含む。それゆえ、本発明の範囲は、上述の記載を参照して決定されるべきではなく、均等物の完全な範囲とともに添付されたクレームを参照して決定されるべきである。
【図面の簡単な説明】
【００９７】
【図１】図１は、本発明の例示実施形態に従って地理的に分散された基地局を有する通信システムのブロック図である。
【図２】図２は、サービスする基地局およびサービスしない基地局として機能する基地局と単一の移動局が通信中の場合における通信システムの一部のブロック図である。
【図３】図３は、本発明の例示実施形態に従う基地局のブロック図である。
【図４】図４は、本発明の例示実施形態に従って移動局と基地局との間の例示的な関係を図解するブロック図である。
【図５】図５は、本発明の例示実施形態に従って移動局と基地局との間の例示的な関係を図解するテーブルである。
【図６】図６は本発明の例示実施形態に従って基地局において経験されるリバースリンク負荷およびリバースリンク結合負荷の例示的分散のグラフ例証である。
【図７】図７は、本発明の第１の例示実施形態に従う通信システムの一部のブロック図である。
【図８】図８は、本発明の第１の例示に従ってサービスする基地局において実行される期待結合負荷を決定する方法のフローチャートである。
【図９】図９は本発明の第１の例示実施形態に従ってサービスしていない基地局における利用可能なキャパシティを決定する方法のフローチャートである。
【図１０】図１０は、本発明の第１の例示実施形態に従って通信システムにおけるリバースリンクチャネルリソースを管理するフローチャートである。
【図１１】図１１は、本発明の第２の例示実施形態に従う通信システムの一部のブロック図である。
【図１２】図１２は、本発明の第２の例示実施形態に従ってサービスしている基地局として機能する基地局において実行されるリバースリンクチャネルを管理する方法のフローチャートである。
【図１３】図１３は、本発明の第２の例示実施形態に従ってサービスしていない基地局として機能する基地局におけるリバースリンクリソースを管理する方法のフローチャートである。
【図１４】図１４は本発明の第２の例示実施形態に従って地理的に分散された基地局を有する通信システムにおいてリバースリンクチャネルを割り当てる方法のフローチャートである。
【図１５】図１５は本発明の第３の例示実施形態に従って地理的に分散された基地局を有する移動局に通信サービスを供給する通信システムの一部のブロック図である。
【図１６】図１６は、本発明の第３の例示実施形態に従って地理的に分散された基地局を有する通信システムにおいてリバースリンクリソースを管理する、基地局で実行される、方法のフローチャートである。
【図１】
0004550812.tif 000015
【図２】
0004550812.tif 000016
【図３】
0004550812.tif 000017
【図４】
0004550812.tif 000018
【図５】
0004550812.tif 000019
【図６】
0004550812.tif 000020
【図７】
0004550812.tif 000021
【図８】
0004550812.tif 000022
【図９】
0004550812.tif 000023
【図１０】
0004550812.tif 000024
【図１１】
0004550812.tif 000025
【図１２】
0004550812.tif 000026
【図１３】
0004550812.tif 000027
【図１４】
0004550812.tif 000028
【図１５】
0004550812.tif 000029
【図１６】
0004550812.tif 000030